(57)【要約】【課題】どのような冊子にも自由にバンドを脱着できる汎用性の高いクリップ付冊子用バンドを提供すること。【解決手段】伸縮性布バンドで形成され、冊子Ｂに巻きつけるループ状のバンド２０と、バンド２０に取り付けられ、冊子Ｂの任意の箇所を挟むことで冊子Ｂとバンド２０との分離を防止するクリップ３０とを備え、バンド２０には、ペンホルダ４０が取り付けられている。【選択図】図１
0003161874.tif 000002
【実用新案登録請求の範囲】
【請求項１】
伸縮自在の材料で形成され、冊子に巻きつけるループ状のバンドと、
このバンドに取り付けられ、前記冊子の任意の箇所を挟むことで前記冊子と前記バンドとの分離を防止するクリップとを備えていることを特徴とするクリップ付冊子用バンド。
【請求項２】
前記バンドには、ペンホルダが取り付けられていることを特徴とする請求項１に記載のクリップ付冊子用バンド。
【請求項３】
前記クリップは、前記バンドの長手方向に移動自在に設けられていることを特徴とする請求項１に記載のクリップ付冊子用バンド。
【請求項４】
冊子の任意の箇所を挟むクリップと、
このクリップに取り付けられたペンホルダとを備えていることを特徴とするクリップ付ペンホルダ。
【考案の詳細な説明】
【技術分野】
【０００１】
本考案は、手帳等の冊子に用いられるクリップ付冊子用バンド及びクリップ付ペンホルダに関する。
【背景技術】
【０００２】
冊子の一種である手帳は、一般的なノートと同様の構造をしているため、持ち運ぶ際にページが開いてしまうことがある。このため、手帳とは独立した手帳用バンドで留める方法や、予め手帳の表紙等にバンドを固定し、このバンドを用いて留める方法が知られている。
【考案の概要】
【考案が解決しようとする課題】
【０００３】
上述した手帳用のバンドにあっては、次のような問題があった。すなわち、手帳とは独立した手帳用バンドでは、手帳を用いる際に、手帳から分離することになるため、紛失してしまうことがあった。また、バンドを手帳に固定したものは紛失することはないが、他の手帳に転用することはできないという問題があった。
【０００４】
一方、手帳によってはペンホルダが付いたものと付いていないものがあり、必ずしも所望の手帳にペンホルダが付いていないことがあった。
【０００５】
そこで本考案は、どのような冊子にも自由にバンドを装着し、また、取り外すことができ、ダイアリーのように年ごとに変わるものであっても用いることができる汎用性の高いクリップ付冊子用バンド、及び、ペンホルダが付いていない冊子にもペンを簡単に保持させることができるクリップ付ペンホルダを提供することを目的としている。
【課題を解決するための手段】
【０００６】
前記課題を解決し目的を達成するために、本考案のクリップ付冊子用バンド及びクリップ付ペンホルダは次のように構成されている。
【０００７】
（１）伸縮自在の材料で形成され、冊子に巻きつけるループ状のバンドと、このバンドに取り付けられ、前記冊子の任意の箇所を挟むことで前記冊子と前記バンドとの分離を防止するクリップとを備えていることを特徴とする。
【０００８】
（２）前記（１）に記載されたクリップ付冊子用バンドであって、前記バンドには、ペンホルダが取り付けられていることを特徴とする。
【０００９】
（３）前記（１）に記載されたクリップ付冊子用バンドであって、前記クリップは、前記バンドの長手方向に移動自在に設けられていることを特徴とする。
【００１０】
（４）冊子の任意の箇所を挟むクリップと、このクリップに取り付けられたペンホルダとを備えていることを特徴とする。
【考案の効果】
【００１１】
本考案によれば、どのような冊子にもクリップで固定することにより自由にバンドを装着し、また、取り外すことができ、ダイアリーのように年ごとに変わるものであっても用いることができる。また、ペンホルダが付いていない冊子にもペンを簡単に保持させることができる。
【図面の簡単な説明】
【００１２】
【図１】本考案の第１の実施の形態に係るクリップ付冊子用バンドを示す斜視図。
【図２】同クリップ付冊子用バンドを冊子に取り付けた状態を示す斜視図。
【図３】同クリップ付冊子用バンドにペンを取り付けた状態を示す斜視図。
【図４】本考案の第２の実施の形態に係るクリップ付ペンホルダを示す斜視図。
【考案を実施するための形態】
【００１３】
図１は、本考案の第１の実施の形態に係るクリップ付冊子用バンド１０を示す斜視図、図２は、同クリップ付冊子用バンド１０を冊子Ｂに取り付けた状態を示す斜視図、図３は、同クリップ付冊子用バンド１０にペン（筆記具）Ｐを取り付けた状態を示す斜視図である。なお、これらの図中Ｂは冊子（例えば、手帳）、Ｐはペンを示している。また、Ｂａは冊子Ｂの天側、Ｂｂは冊子Ｂの小口側を示している。
【００１４】
クリップ付冊子用バンド１０は、伸縮性布バンド等の伸縮自在の材料で形成されたループ状のバンド２０と、このバンド２０に取り付けられ、冊子Ｂの任意の箇所を挟むクリップ３０とを備えている。クリップ３０は、金属または樹脂板等を折り曲げて形成されており、折り曲げ部３１近傍に、バンド２０を通す孔３２が形成されている。したがって、クリップ３０は、バンド２０の長手方向に移動自在となっている。
【００１５】
バンド２０には、さらに、伸縮性布バンドからなるペンホルダ４０が取り付けられている。
【００１６】
このように構成されたクリップ付冊子用バンド１０は、次のようにして用いる。すなわち、クリップ３０を冊子Ｂの任意の場所、例えば表表紙の天側に挟み込む。そして、図２に示すようにしてバンド２０を冊子Ｂ全体に巻きつけるようにして固定する。また、必要に応じて、ペンホルダ４０にペンＰを挿入する。このような状態で携帯が可能となる。
【００１７】
一方、冊子Ｂの使用時には、クリップ３０を付けたままバンド２０のみを外せば、ページが開くため、使用が可能となる。このとき、クリップ３０は表表紙に取り付けられているため、クリップ付冊子用バンド１０を紛失することは無い。
【００１８】
また、冊子Ｂがダイアリーのように年毎に変わる場合は、クリップ３０を冊子Ｂから外し、別の冊子Ｂに容易に付け替えることが可能である。また、冊子Ｂが書籍の場合には、バンド２０を任意のページに挟み込むことで、ブックマーク代わりに使用することができる。
【００１９】
上述したように、本実施の形態に係るクリップ付冊子用バンド１０によれば、どのような冊子Ｂにも自由にバンド２０を装着し、また、取り外すことができ、ダイアリーのように年ごとに変わるものであっても用いることができる。また、ペンホルダが付いていない冊子ＢにもペンＰを簡単に保持させることができ、携帯に便利であるとともに、ペンＰの紛失を防止することができる。
【００２０】
図４は、本考案の第２の実施の形態に係るクリップ付ペンホルダ５０を示す斜視図である。なお、この図中Ｂは冊子（例えば、手帳）、Ｐはペンを示している。また、Ｂａは冊子Ｂの天側、Ｂｂは冊子Ｂの小口側を示している。
【００２１】
クリップ付ペンホルダ５０は、冊子Ｂの任意の箇所を挟むクリップ６０と、このクリップ６０に取り付けられた伸縮性布バンド等の伸縮自在の材料で形成されたペンホルダ７０とを備えている。クリップ６０は、ステンレス板を折り曲げて形成されており、折り曲げ部６１近傍に、ペンホルダ７０を通す孔７２が形成されている。
【００２２】
このように構成されたクリップ付ペンホルダ５０は、次のようにして用いる。すなわち、クリップ６０を冊子Ｂの任意の場所、例えば表表紙の小口側に挟み込む。そして、必要に応じて、ペンホルダ７０にペンＰを挿入する。このような状態で携帯が可能となる。また、冊子Ｂがダイアリーのように年毎に変わる場合は、クリップ６０を冊子Ｂから外し、別の冊子Ｂに容易に付け替えることが可能である。
【００２３】
上述したように、本実施の形態に係るクリップ付ペンホルダ５０によれば、どのような冊子Ｂにも自由にクリップ６０を装着することで、ペンホルダが付いていない冊子ＢにもペンＰを簡単に保持させることができ、携帯に便利であるとともに、ペンＰの紛失を防止することができる。
【００２４】
なお、本考案は前記実施の形態に限定されるものではなく、本考案の要旨を逸脱しない範囲で種々変形実施可能であるのは勿論である。
【産業上の利用可能性】
【００２５】
どのような冊子にも自由にバンドを装着し、また、クリップで固定できるため冊子とは分離しないが、クリップが取り外すことができるため、ダイアリーのように年ごとに変わるものであっても用いることができる汎用性の高いクリップ付冊子用バンド、及び、ペンホルダが付いていない冊子にもペンを簡単に保持させることができるクリップ付ペンホルダを提供することができる。
【符号の説明】
【００２６】
１０…クリップ付冊子用バンド、２０…バンド、３０…クリップ、３２…孔、４０…ペンホルダ、５０…クリップ付ペンホルダ、６０…クリップ、７０…ペンホルダ、Ｂ…冊子、Ｐ…ペン。
【図１】
0003161874.tif 000003
【図２】
0003161874.tif 000004
【図３】
0003161874.tif 000005
【図４】
0003161874.tif 000006